(57)【要約】【課題】補助容量ライン反転方式のアクティブマトリクス型液晶表示装置において、額縁が大きくなることを防止する。【解決手段】ガラス基板１００上に行列状に配置された複数の画素ＧＳ１１，ＧＳ１２，・・からなる表示領域１０と、列方向に配列された各画素のスイッチングＴＦＴ１１のドレインに共通接続されたドレインライン２０−１，２０−２，・・にビデオ信号を出力する水平駆動回路３０と、行方向に配列された各画素のスイッチングＴＦＴ１１のゲートに共通接続されたゲートライン４０−１，４０−２，・・にゲート信号を出力する垂直駆動回路５０と、各行の画素に対応して行方向に延びる第１の補助容量ライン６１−１及び第２の補助容量ライン６２−１の電位が互いに逆相となるように駆動する補助容量ライン反転駆動回路７０を備える。垂直駆動回路５０と補助容量ライン反転駆動回路７０は表示領域１０を間に挟んで表示領域１０の両側に夫々配置する。【選択図】  図１
2007140192.tif 000002
【特許請求の範囲】
【請求項１】
行列状に配置された複数の画素から成る表示領域と、
前記複数の画素毎に配置された画素電極と、
前記画素電極と対向電極の間に封入された液晶と、
前記画素電極それぞれに接続され、ゲート信号に応じてスイッチングするスイッチング素子と、
前記ゲート信号を垂直クロックに基づいて出力する垂直駆動回路と、
各行の画素に対応して配置された第１及び第２の補助容量ラインと、
所定の周期で第１及び第２の補助容量ラインの電位が互いに逆相とするように反転駆動を行う補助容量ライン反転駆動回路と、
前記第１補助容量ラインと前記画素電極との間に接続された第１の補助容量と、
前記第２補助容量ラインと前記画素電極との間に接続された第２の補助容量と、
各画素に前記スイッチング素子を通して所望のビデオ信号を供給する水平駆動回路と、を備え、前記垂直駆動回路と前記補助容量ライン反転駆動回路は前記表示領域を間に挟んで前記表示領域の両側にそれぞれ配置されたことを特徴とするアクティブマトリクス型液晶表示装置。
【請求項２】
前記補助容量ライン反転駆動回路は、各行に対応して設けられ、１フレーム周期で反転を繰り返す反転基準信号及び次行に対応したゲート信号に基づき、このゲート信号の立ち上がりに同期して１フレーム周期で反転を繰り返す反転制御信号を出力する補助容量ライン反転駆動ユニットと、前記反転制御信号に応じて前記第１及び第２の補助容量ラインの電位を切り換えるスイッチとを備えることを特徴とする請求項１に記載のアクティブマトリクス型液晶表示装置。
【請求項３】
前記水平駆動回路は、行方向に隣接する画素に互いに極性が異なるビデオ信号を供給することを特徴とする請求項１又は請求項２に記載のアクティブマトリクス型液晶表示装置。
【発明の詳細な説明】
【技術分野】
【０００１】
本発明は、アクティブマトリクス型液晶表示装置に関し、特に補助容量ラインの反転駆動機能を有したアクティブマトリクス型液晶表示装置に関する。
【背景技術】
【０００２】
従来、薄膜トランジスタ（ＴＦＴ：Thin Film Transistor）のようなスイッチング素子を介して、各画素の画素電極にビデオ信号を供給するアクティブマトリクス型液晶表示装置において、画素電極に対向する対向電極及び補助容量に交流電位を与える対極ＡＣライン反転駆動を行うことにより、液晶の劣化を防止していた。
【０００３】
しかし、１水平期間ごとに各ドレインラインに与えるビデオ信号の極性を反転する対極ＡＣ反転駆動では、１水平期間ごとに、対向電極及び補助容量ラインの電位の極性を反転させるため、対向電極及び全補助容量ラインにおける容量性の負荷及びこれらによる消費電力は大きかった。
【０００４】
そこで、低消費電力化を実現するため、対向電極の電位を一定にした状態で、補助容量ラインの電位の極性を一定周期で反転さることにより、ビデオ信号の正・負極性間の電位差を小さくして、水平駆動回路の消費電力を下げるという駆動方式（以下、「補助容量ライン反転駆動方式」、略して「ＳＣ反転駆動方式」と称する。）が特許文献１に開示されている。
【０００５】
また、そのようなＳＣ反転駆動において生じる容量結合及びそれに起因する画像のムラを防止するために、ゲートライン方向に隣り合う画素電極に対して極性が異なる電圧を印加し、図８のように、上下左右隣り合う画素全てに逆の極性の電圧を印加するドット反転駆動方式が特許文献２に開示されている。
【特許文献１】特開平１２−８１６０６号公報
【特許文献２】特開２００３−１５０１２７号公報
【発明の開示】
【発明が解決しようとする課題】
【０００６】
しかしながら、上述のＳＣ反転駆動方式では、ＳＣ反転駆動回路を設ける必要があるため、回路面積が大きくなり、パネルの額縁が大きくなるという問題があった。
【課題を解決するための手段】
【０００７】
本発明のアクティブマトリクス型液晶表示装置は、行列状に配置された複数の画素から成る表示領域と、前記複数の画素毎に配置された画素電極と、前記画素電極と対向電極の間に封入された液晶と、前記画素電極それぞれに接続され、ゲート信号に応じてスイッチングするスイッチング素子と、前記ゲート信号を垂直クロックに基づいて出力する垂直駆動回路と、各行の画素に対応して配置された第１及び第２の補助容量ラインと、所定の周期で第１及び第２の補助容量ラインの電位が互いに逆相とするように反転駆動を行う補助容量ライン反転駆動回路と、前記第１補助容量ラインと前記画素電極との間に接続された第１の補助容量と、前記第２補助容量ラインと前記画素電極との間に接続された第２の補助容量と、各画素に前記スイッチング素子を通して所望のビデオ信号を供給する水平駆動回路と、を備え、前記垂直駆動回路と前記補助容量ライン反転駆動回路は前記表示領域を間に挟んで前記表示領域の両側にそれぞれ配置されたことを特徴とするものである。
【発明の効果】
【０００８】
本発明によれば、補助容量ライン反転方式のアクティブマトリクス型液晶表示装置において、垂直駆動回路と補助容量ライン反転駆動回路とを表示領域の片側に並べて配置するのではなく、垂直駆動回路と補助容量ライン反転駆動回路は表示領域を間に挟んで表示領域の両側にそれぞれ配置するようにしたので、基板上に回路をバランス良く配置して、額縁が大きくなることを防止することが可能になる。
【発明を実施するための最良の形態】
【０００９】
次に、本発明の実施形態に係るアクティブマトリクス型液晶表示装置について図面を参照しながら説明する。図１は、このアクティブマトリクス型液晶表示装置の回路図である。
【００１０】
このアクティブマトリクス型液晶表示装置は、ガラス基板１００上に行列状に配置された複数の画素ＧＳ１１，ＧＳ１２，・・・からなる表示領域１０と、列方向に配列された各画素のスイッチングＴＦＴ１１のドレインに共通接続されたドレインライン２０−１，２０−２，・・・にビデオ信号を出力する水平駆動回路３０と、行方向に配列された各画素のスイッチングＴＦＴ１１のゲートに共通接続されたゲートライン４０−１，４０−２，・・・にゲート信号を出力する垂直駆動回路５０と、各行の画素に対応して行方向に延びる第１の補助容量ライン６１−１及び第２の補助容量ライン６２−１の電位が互いに逆相となるように駆動する補助容量ライン反転駆動回路７０（以下、「ＳＣ反転駆動回路」と略称する）と、ドレインライン２０−１，２０−２，・・・にプリチャージ信号を供給するプリチャージ回路８０とを備えている。
【００１１】
本発明の特徴とする点は、垂直駆動回路５０と補助容量ライン反転駆動回路７０は表示領域１０を間に挟んで表示領域１０の両側にそれぞれ配置した点であり、これにより、ガラス基板１００上に垂直駆動回路５０と補助容量ライン反転駆動回路７０をバランス良く配置して、額縁が大きくなることを防止することが可能になる。
【００１２】
以下、上記の各回路の構成について詳しく説明する。まず、表示領域１０において、第１行目については、赤色の画素ＧＳ１１、緑色の画素ＧＳ１２、青色の画素ＧＳ１３、赤色の画素ＧＳ１４、というように、赤、緑、青の順番に配置され、この配列が行方向に繰り返されている。同様に、第２行目についても、赤色の画素ＧＳ２１、緑色の画素ＧＳ２２、青色の画素ＧＳ２３、赤色の画素ＧＳ２４、というように、赤、緑、青の順番に配置され、この配列が行方向に繰り返されている。
【００１３】
１つの画素、例えば、画素ＧＳ１１内には、ゲートライン４０−１がゲートに接続されたスイッチングＴＦＴ１１、スイッチングＴＦＴ１１のソースに接続された画素電極１２、画素電極１２と対向電極１３の間に封入された液晶１４、画素電極１２と第１の補助容量ライン６１−１との間に接続された第１の補助容量１５が設けられている。また、画素ＧＳ１１に隣接する画素ＧＳ１２についても同様であるが、画素電極１２と第２の補助容量ライン６２−１との間に第２の補助容量１６が設けられている。
【００１４】
そして、画素ＧＳ１２に隣接する画素ＧＳ１３については、画素電極１２と第１の補助容量ライン６１−１との間に第１の補助容量１５が設けられている。即ち、ドット反転駆動を可能とするために、各画素内の補助容量は、第１の補助容量ライン６１−１と第２の補助容量ライン６２−１に交互に接続されている。
【００１５】
水平駆動回路３０は、外部から入力されるビデオ信号を出力する信号線Ｓ１，Ｓ２，・・・と、これらの信号線Ｓ１，Ｓ２，・・・からのビデオ信号をドレインライン２０−１，２０−２，・・・に選択的に出力するための第１のビデオスイッチ３１、第２のビデオスイッチ３２、第３のビデオスイッチ３３とを備えている。
【００１６】
例えば、赤色ビデオ信号イネーブル信号ＲＥＮＢがハイレベルになると、第１のビデオスイッチ３１がオンとなり、それに同期して信号線Ｓ１，Ｓ２，・・・から赤色のビデオ信号がドレインライン２０−１に出力される。次に、緑色ビデオ信号イネーブル信号ＧＥＮＢがハイになると、第２のビデオスイッチ３２がオンとなり、それに同期して信号線Ｓ１，Ｓ２，・・・から緑色のビデオ信号がドレインライン２０−２に出力される。次に、青色ビデオ信号イネーブル信号ＢＥＮＢがハイレベルになると、第３のビデオスイッチ３３がオンとなり、それに同期して信号線Ｓ１，Ｓ２，・・・から青色のビデオ信号がドレインライン２０−３に出力される。
【００１７】
ここで、水平駆動回路３０は、ＳＣ反転駆動表示領域制御信号ＥＮＢＳＣに応じて、複数の画素で構成される表示領域１０の中から選択された表示領域の各画素にビデオ信号を供給する。ここで、アクティブマトリクス型液晶表示装置の表示には、図２に示すような表示領域１０の全体に対して表示を行う通常表示（図２（ａ））と、パーシャル表示領域１０Ｐに対してのみ表示を行うパーシャル表示（図２（ｂ））があるが、ＳＣ反転駆動表示領域制御信号は、ＳＣ反転駆動を行う表示領域の指定を行う制御信号であり、外部入力を受けた駆動ＩＣ（不図示）から供給される信号である。即ち、ＳＣ反転駆動表示領域制御信号ＥＮＢＳＣがロウレベルの期間がパーシャル表示領域に対応し、ＳＣ反転駆動表示領域制御信号ＥＮＢＳＣがハイレベルの期間が背景表示領域に対応する。
【００１８】
垂直駆動回路５０は、ゲートライン４０−１，４０−２，・・・に順次ゲート信号ＧＬ１，ＧＬ２，・・・を出力する回路である。この垂直駆動回路５０は、直列に接続された複数のシフトレジスタユニットＳ／Ｒ１，Ｓ／Ｒ２，Ｓ／Ｒ３，・・・からなるシフトレジスタを備えている。このシフトレジスタは、１段目の第１のシフトレジスタユニットＳ／Ｒ１に入力される垂直スタート信号ＳＴＶを垂直クロックＣＫＶ１，ＣＫＶ２（ＣＫＶ２はＣＫＶ１の反転クロック）に基づいて順次シフトする。そして、第１のシフトレジスタユニットＳ／Ｒ１の出力、第２のシフトレジスタユニットＳ／Ｒ２の出力及び出力イネーブル信号ＥＮＢが入力された第１のアンド回路５１を備え、この第１のアンド回路５１から第１行目のゲートライン４０−１に第１のゲート信号ＧＬ１が出力される。
【００１９】
また、第２のシフトレジスタユニットＳ／Ｒ２の出力、第３のシフトレジスタユニットＳ／Ｒ３の出力及び出力イネーブル信号ＥＮＢが入力された第２のアンド回路５２を備え、この第２のアンド回路５２から第２行目のゲートライン４０−２に第２のゲート信号ＧＬ２が出力される。出力イネーブル信号ＥＮＢは垂直クロックＣＫＶ１の半周期毎にロウレベルに立ち下がるクロックであり、隣接するゲートラインに出力されるゲート信号、例えば、ＧＬ１とＧＬ２との重なりを防止し、それらの信号の相互干渉を無くすための信号である。
【００２０】
ＳＣ反転駆動回路７０は、各行に対応して設けられたＳＣ反転制御ユニット７１，７２，・・・を備えており、ＳＣ反転制御ユニット７１，７２，・・・はそれぞれ対応する各行の第１及び第２の補助容量ライン（６１−１，６２−１）、（６１−２，６２−２），・・・の電位を反転するための反転制御信号ＳＣ１，ＳＣ２，・・・をそれぞれ出力する。そして、これらの反転制御信号ＳＣ１，ＳＣ２，・・・は各行に対応して設けられたスイッチＳＷ１，ＳＷ２，・・・のスイッチングをそれぞれ制御する。
【００２１】
第１行に対応するＳＣ反転制御ユニット７１は、１フレーム周期で反転を繰り返すＳＣ反転基準信号ＣＫＶＳＣ、ＳＣ反転駆動表示領域制御信号ＥＮＢＳＣ及び、第２行に対応するゲート信号である、第２のゲート信号ＧＬ２に基づいて、反転制御信号ＳＣ１を出力する。反転制御信号ＳＣ１は、第２のゲート信号ＧＬ２の立ち上がりに同期して１フレーム周期で反転を繰り返す。また、第２行に対応するＳＣ反転制御ユニット７２は、１フレーム周期で反転を繰り返すＳＣ反転基準信号ＣＫＶＳＣ、ＳＣ反転駆動表示領域制御信号ＥＮＢＳＣ及び、第３行に対応するゲート信号である、第３のゲート信号ＧＬ３に基づいて、反転制御信号ＳＣ２を出力する。反転制御信号ＳＣ２は、第３のゲート信号ＧＬ３の立ち上がりに同期して１フレーム周期で反転を繰り返す。他の行に対応するＳＣ反転制御ユニットについても同様の構成である。
【００２２】
例えば、反転制御信号ＳＣ１がハイレベルに変化すると、スイッチＳＷ１によって、第１の補助容量ライン６１−１の電位はロウレベル（ＶＳＣＬ）に遷移し、第２の補助容量ライン６２−１の電位はハイレベル（ＶＳＣＨ）に遷移し、反転制御信号ＳＣ１がロウレベルに変化すると、スイッチＳＷ１によって、第１の補助容量ライン６１−１の電位は逆にハイレベル（ＶＳＣＨ）に反転し、第２の補助容量ライン６２−１の電位はロウレベル（ＶＳＣＬ）に反転する。
【００２３】
ＳＣ反転駆動表示領域制御信号ＥＮＢＳＣに応じて、表示領域１０の中から選択されたパーシャル表示領域に対してのみ、ＳＣ反転駆動回路７０の反転駆動を行い、背景表示領域に対しては反転駆動を停止することで、消費電力を低減できる。即ち、ＳＣ反転駆動回路７０の反転駆動は、ＳＣ反転駆動表示領域制御信号ＥＮＢＳＣがロウレベルであるパーシャル表示領域に対してのみ行われる。そして、ＳＣ反転駆動回路７０の反転駆動は、ＳＣ反転駆動表示領域制御信号ＥＮＢＳＣがハイレベルである背景表示領域に対しては停止される。ＳＣ反転駆動回路７０の反転駆動が停止されるときは、背景表示領域に対応する反転制御信号は一定に固定され、これにより、背景表示領域に対応する第１の補助容量ライン６１−１，６２−１，・・・及び第２の補助容量ライン６２−１，６２−２，・・・はロウレベル又はハイレベルの一定電位に保たれる。
【００２４】
プリチャージ回路８０は、プリチャージ制御信号ＤＳＧに応じて、プリチャージ信号ＤＳＤをドレインライン２０−１，２０−２，２０−３、・・・に出力するプリチャージスイッチ８１−１，８１−２，８１−３，・・・を備えている。これらのプリチャージスイッチ８１−１，８１−２，８１−３，・・・は、水平駆動回路３０からのビデオ信号が画素へ書き込まれる前に、オンする。すると、ドレインライン２０−１，２０−２，２０−３，・・・はプリチャージ信号ＤＳＤのレベルに設定される。このプリチャージ信号ＤＳＤを背景表示信号として利用し、この信号を背景表示領域の各画素にスイッチングＴＦＴ１１を通して書き込むようにした。
【００２５】
次に、上述した構成のアクティブマトリクス型液晶表示装置の動作について詳細に説明する。まず、ＳＣ反転駆動が行われる場合の動作について説明する。このようなＳＣ反転駆動を伴う動作は、図２に示すような表示領域１０の全体に対して通常表示を行う場合（図２（ａ））と、パーシャル表示領域１０Ｐに対してのみ、パーシャル表示を行う場合（図２（ｂ））に行われる。
【００２６】
図３は、水平走査系のタイミング図であり、画素へのプリチャージ信号及びビデオ信号の書き込みを説明する図である。図４、図５は垂直走査系のタイミング図であり、さらに詳しくは、図４は垂直駆動回路５０、ＳＣ反転駆動回路７０への入力信号のタイミング図、図５は、垂直駆動回路５０、ＳＣ反転駆動回路７０の内部信号のタイミング図である。
【００２７】
ゲート信号ＧＬ１がハイレベルに立ち上がると、第１行の各画素のスイッチングＴＦＴ１１がオンし、水平同期信号Ｈｓｙｎｃに応じてプリチャージ制御信号ＤＳＧがパルス出力され、プリチャージ信号ＤＳＤがドレインライン２０−１，２０−２，２０−３，・・・に書き込まれる。その後、赤色ビデオ信号イネーブル信号ＲＥＮＢがパルス出力されると、第１のビデオスイッチ３１がオンし、信号線Ｓ１，Ｓ２，・・・から赤色のビデオ信号がドレインライン２０−１に出力され、スイッチングＴＦＴ１１を通して対応する赤色の画素ＧＳ１１に書き込まれる。
【００２８】
その後、緑色ビデオ信号イネーブル信号ＧＥＮＢがパルス出力されると、第２のビデオスイッチ３２がオンし、信号線Ｓ１，Ｓ２，・・・から緑色のビデオ信号がドレインライン２０−２に出力され、スイッチングＴＦＴ１１を通して対応する緑色の画素ＧＳ１２に書き込まれる。
【００２９】
その後、青色ビデオ信号イネーブル信号ＢＥＮＢがパルス出力されると、第３のビデオスイッチ３３がオンし、信号線Ｓ１，Ｓ２，・・・から青色のビデオ信号がドレインライン２０−３に出力され、スイッチングＴＦＴ１１を通して対応する青色の画素ＧＳ１３に書き込まれる。
【００３０】
そして、ゲート信号ＧＬ１が立ち下がり、次のラインに対応するゲート信号ＧＬ２が立ち上がると、ＳＣ反転制御ユニット７１からの反転制御信号ＳＣ１がハイレベルに立ち上がり、それに応じて、スイッチＳＷ１によって、第１の補助容量ライン６１−１の電位はロウレベル（ＶＳＣＬ）に遷移し、第２の補助容量ライン６２−１の電位はハイレベル（ＶＳＣＨ）に遷移する。これにより、図６に示すように、画素ＧＳ１１の画素電極１２の電位は第１の補助容量１５の容量結合により負極性方向に変化し、隣接する画素ＧＳ１２の電位は第２の補助容量１６の容量結合により正極性方向に変化する。ここで、ドット反転駆動においては、互いに隣接した画素ＧＳ１１と画素ＧＳ１２に対して水平駆動回路３０から供給されるビデオ信号の極性は逆となっている。
【００３１】
なお、上述の動作は第１行のラインに関するものであるが、第２行のラインについても同様である。ただし、図１に示すように、第１の補助容量ライン６１−２及び第２の補助容量ライン６２−２と各画素内の補助容量との接続は１行目と逆になる。尚、奇数ラインは１行目と同じ接続となり、偶数ラインは２行目と同じ接続となる。
【００３２】
このようなＳＣ反転駆動によれば、ビデオ信号のビデオ信号の正・負極性間の電位差を小さくして、水平駆動回路の消費電力を下げることができるが、ＳＣ反転駆動そのものは電力消費を伴うものである。そこで、パーシャル表示時において、背景表示領域１０Ｂに対してはＳＣ反転駆動を停止することにより、さらなる低消費電力化を実現している。そのようなＳＣ反転動作の停止について図７を参照しながら説明する。
【００３３】
本実施形態では、１フレーム期間の中、最初の８０水平期間、即ち、第１ライン〜第８０ラインに対応する表示領域をパーシャル表示領域１０Ｐとし、残りの２３９ラインに対応する表示領域を背景表示領域１０Ｂとして設定している。そして、パーシャル表示領域１０Ｐについては、ＳＣ反転駆動表示領域制御信号ＥＮＢＳＣはロウレベルに設定され、上述したＳＣ反転駆動が行われるが、背景表示領域１０Ｂについては、ＳＣ反転駆動表示領域制御信号ＥＮＢＳＣはハイレベルに固定され、この背景表示領域１０Ｂに対応したＳＣ反転駆動回路７０のＳＣ反転制御ユニット７１，７２，・・・はすべて動作を停止する。
【００３４】
このとき、背景表示領域１０Ｂの各画素には、水平駆動回路３０から背景表示信号を供給してもよいが、プリチャージ制御信号ＤＳＧをハイレベルに固定し、プリチャージ信号ＤＳＤを背景表示信号として供給することが好ましい。これにより、水平駆動回路３０の動作を停止することができ、さらに消費電力を低減することができる。なお、背景表示信号は対向電極１３の一定電位を基準として１Ｖ程度の低電圧の信号であり、ノーマリーホワイトの液晶表示装置では白表示となり、ノーマリーブラックの液晶表示装置では黒表示となる信号である。
【００３５】
また、背景表示領域１０Ｂに対する垂直クロックＣＫＶ１、ＣＫＶ２の周波数は、パーシャル表示領域１０Ｐに対する垂直クロックＣＫＶ１、ＣＫＶ２の周波数に比して高くすることが好ましい。背景表示領域１０Ｂは上述のように同色信号を書き込み続けるため、パーシャル表示領域１０Ｐのようにビデオ信号の立ち上がり時間等を考慮する必要がなく、高速な信号書き込みが可能だからである。これにより、フレームレートが従来と同じ場合、背景表示領域１０Ｂの表示動作を高速に行う分、パーシャル表示領域１０Ｐのビデオ信号の書き込み動作を低速に行うことができるので、さらに消費電力を低減できる。
【００３６】
また、背景表示領域１０Ｂに対しては、垂直駆動回路５０に入力される出力イネーブル信号ＥＮＢをハイレベルに固定して、さらなる低消費電力化を図ることができる。背景表示領域１０Ｂは上述のように同色信号を書き込み続けるため、隣接するゲートラインに出力されるゲート信号（例えばＧＬ１とＧＬ２）、ドレインラインに出力されるビデオ信号の相互干渉を考慮する必要がない。そのため、出力イネーブル信号ＥＮＢを一定レベルに固定し、さらに消費電力を低減することができる。
【図面の簡単な説明】
【００３７】
【図１】本発明の実施形態にかかるアクティブマトリクス型液晶表示装置の回路図である。
【図２】本発明の実施形態にかかるアクティブマトリクス型液晶表示装置における表示モードを示す図である。
【図３】本発明の実施形態にかかるアクティブマトリクス型液晶表示装置における水平走査系のタイミング図である。
【図４】本発明の実施形態にかかるアクティブマトリクス型液晶表示装置における垂直駆動回路５０、ＳＣ反転駆動回路への入力信号のタイミング図である。
【図５】本発明の実施形態にかかるアクティブマトリクス型液晶表示装置における垂直駆動回路５０、ＳＣ反転駆動回路の内部信号のタイミング図である。
【図６】本発明の実施形態にかかるアクティブマトリクス型液晶表示装置におけるＳＣ反転駆動による画素電位の変化を説明する図である。
【図７】本発明の実施形態にかかるアクティブマトリクス型液晶表示装置の動作を説明するタイミング図である。
【図８】アクティブマトリクス型液晶表示装置のドット反転駆動を説明する図である。
【符号の説明】
【００３８】
１０  表示領域    １１  スイッチングＴＦＴ    １２  画素電極
１３  対向電極    １４  液晶    １５  第１の補助容量
１６  第２の補助容量
２０−１、２０−２、２０−３  ドレインライン
３０  水平駆動回路    ３１  第１のビデオスイッチ  ３２  第２のビデオスイッチ
３３  第３のビデオスイッチ    
４０−１、４０−２    ゲートライン  
５０  垂直駆動回路    ５１  第１のアンド回路    ５２  第２のアンド回路    
６１−１  第１の補助容量ライン    ６１−２  第２の補助容量ライン    
７０  ＳＣ反転駆動回路    ７１、７２  ＳＣ反転制御ユニット
８０  プリチャージ回路    ８１−１、８１−２、８１−３  プリチャージスイッチ
Ｓ／Ｒ１，Ｓ／Ｒ２，Ｓ／Ｒ３  シフトレジスタユニット
【図１】
2007140192.tif 000003
【図２】
2007140192.tif 000004
【図３】
2007140192.tif 000005
【図４】
2007140192.tif 000006
【図５】
2007140192.tif 000007
【図６】
2007140192.tif 000008
【図７】
2007140192.tif 000009
【図８】
2007140192.tif 000010